(57)【要約】      （修正有）【課題】地震災害時等により玄関扉等が損壊し開閉不能になった場合、火災等の二次被害から迅速に逃れられるよう、人命救助を最優先とする脱出手段と、脱出後における家財道具・貴重品などの盗難防止策を考慮した耐震扉脱出口を提供する。【解決手段】既存の玄関扉８等に、圧縮力に優れた金属製の開閉用脱出口を設置する。平常時は密閉した状態にし、緊急避難時は迅速さが求められる為、錠１０を開錠するのではなく、あえて、開閉用取っ手６・７を押し下げるだけで容易に開閉できる構造とするものである。又、脱出後の盗難防止策としては、外側から錠１０を施錠することにより解決され、又、扉の損壊が復旧されるまで仮の扉として利用可能である。【選択図】図６
0003163024.tif 000002
【実用新案登録請求の範囲】
【請求項１】
本考案のは、地震災害により扉枠及び扉が損壊し、開閉不能になり脱出が困難になる恐れがある、特に、鉄筋コンクリート造のマンション・アパート等の玄関扉からの非常時脱出を目的に考案し、脱出口本体１・２は、一般的な扉よりも圧縮強度の高い軽量金属（ステンレス等）によって製造し、既存の扉８を取り外すことなく、扉が設置された状態で脱出口枠１設置部分を円形に切り取り、円形状の金属製脱出口枠１を外側から取り付け、さらに内側から脱出口枠固定板５をネジ状に右回転させて取り付け、内側から大小１９本の固定板取付ネジ４・９を施し、脱出口枠１の取り付け完了である。脱出口蓋２の最下部と脱出口枠１の最下部には、ヒンジ３が接合されており開閉が容易である。脱出口蓋２を閉じて、脱出口蓋２内側に取り付けられた左右の開閉用取っ手６・７を、手動により上方に押し上げることによってロックされ、地震災害等の緊急脱出時には、開閉用取っ手６・７を手動で押し下げることによってロックが解除され、脱出口蓋２を押し開け容易に脱出する事が出来る。又、平常時において脱出口蓋２内側部に取り付けられた左右の開閉用取っ手６・７が露出していることから、接触等の危険防止のために安全策として、プラスチィク製円形状の防護用裏蓋１１をはめ込み簡易に固定し、耐震扉脱出口１・２の設置完了となる。
【請求項２】
本考案の、出願提出図面による玄関外側からの景観は、脱出口枠１及び脱出口蓋２ともに円形状であり、当然、外側から見た脱出口枠１の内形も外形も円形であり、従来の扉に無い多少の違和感を感じる。しかし、外側から見た脱出口枠１の外形を四角形、五角形、六角形、八角形などの多角形に変更製作することにより違和感を減少させ、さらに、玄関外側から見た脱出口蓋２と、脱出口枠１の全体部分に花柄などの色彩或いは彫刻などを施し、違和感との美的調和を高めるのである。
【請求項３】
本考案の耐震扉脱出口１・２を設置する一般的な扉には、形状・寸法及び金属製扉・木製扉等の材質の異なるものも数多く存在している。しかし、本考案は全ての既存の扉に形状・寸法を合わせて製作する事が可能であるから、形状・寸法及び設置位置等については若干の流動的要素を含むものである。
【請求項４】
緊急避難時に耐震扉脱出口から脱出したものの、家財等の散乱で住民が長期外泊を余儀なくされた場合の盗難予防セキュリティー対策として、脱出口蓋２に取り付けた錠１０を外側から施錠することにより安心して外泊ができ、再度の出入りにも何らの支障もないことから、大きな家具以外の生活必需品等を何時でも取り出せる利便性も兼ね備えるものである。
【考案の詳細な説明】
【技術分野】
【０００１】  本考案は、玄関扉などの扉全般を対象に、内形が円形状の金属製脱出口を扉に設置し、地震災害時にコンクリート建造物等に損壊或いは亀裂が生じ、扉枠及び扉が変形破損した場合に起こり得る、扉開閉不能時に人命を守る為の緊急脱出に関するものである。
【背景技術】
【０００２】  本考案に目的が類似した耐震玄関扉をインターネットで検索したところ、耐震玄関扉と称して、玄関扉本体の周囲から内側に約１５センチの位置に内扉を施した玄関扉が広告されているのを確認しました。しかし、その扉はただ単に扉の内側に、扉本体の外形と同じ形状の扉を、外側からわずか１５センチ程度縮小しただけの内扉をはめ込み、ただ二重扉として製品化されたものであった。又、その玄関扉の内扉の寸法は、扉本体の縦・横の長さにわずかに比例縮小された、扉本体を少し小さくした長方形であり、緊急脱出時には大きな家財道具まで持ち出せる目的で考案されているのである。又、大地震によりコンクリート壁面に大きな亀裂等の損壊が起きれば、本体の扉枠に強力な圧縮力が生じ、第二の扉にも同じ圧縮力が加圧され、本体扉の損壊同様に第二の内扉自体も開閉不能な損壊を受けると思われる。
【先行技術文献】
【非特許文献】
【０００３】
【非特許文献１】  ユーテック株式会社  販売製品カタログ  ２００９年
【考案の概要】
【考案が解決しようとする課題】
【０００４】  近年、日本国内で多数発生している大地震災害、戦後の高度成長期の近代化と共に構築され続けた無数の鉄筋コンクリート建造物も、最長で６０余年の建齢に達し老朽化の一途にあります。又、建造物の圧縮強度も建齢に比例しながら弱体化し続けていますのは周知の事実であります。さらには、関東大震災などの予期的な報道等が追い討ちをかけるように人心を脅かしております。老朽化した建造物の建替え工事をやりたいが経済的な余裕が無い、しかし、地震災害を想定すれば、扉の損壊により家屋内に閉じ込められたまま、もし、家屋火災が発生した場合には人命さえ危うい結果になりかねない、大半の人はそのような悩みを少なからず抱えているのである。特に、マンション・アパート等に居住されている人達にとっては、玄関扉こそが唯一の脱出方法であり、もし、既存の玄関扉８が損壊し開閉不能となった場合の脱出対策は、被災者にとって自分自身と家族の命を守るための重要な課題であり、本考案は、そのような問題を解決しようとするものである。
【課題を解決するための手段】
【０００５】本考案は、大地震に備え既存の扉よりも圧縮強度のより優れた軽量金属（ステンレス等）を材質とし、さらに強度を増すために脱出口を円形状に製作する。地震災害時のコンクリート損壊箇所に多く見られるのは、壁面の亀裂に加え玄関扉などの扉枠の上部角付近の損壊が著しく、当然、扉枠は押し潰されたように変形しており、そのために扉本体にまで扉枠が食い込むか、或いは固着した状態になっており、とても人間の力では扉を開閉することは不可能であります。しかし、扉本体を円形状に切り抜き、既存の扉より圧縮強度の勝る脱出口枠１を設置することにより、地震災害時のコンクリート損壊における圧縮力は、扉枠から扉本体に加わり脱出口枠１に加圧されるものの、既存の扉本体８よりも脱出口枠１のほうが圧縮強度が高いために、既存の扉本体８に逆流加圧され、既存の扉本体８自体がさらに損壊し変形するものであり、脱出口枠１への損壊の危険性は極めて低く、よって、脱出口蓋２の開閉には何ら支障なく、安全に脱出する事ができるのである。又、本考案の製作コストについては、低価格にて商品化することが可能であり、取付け工事も短時間で施工できるため大変経済的である。
【考案の効果】
【０００６】  本考案は、人命救助を最優先として考案したものであり、緊急避難時の家財道具等の持ち出しは、手提げ金庫程度の最小限度の持ち出ししか想定していない。そのために、脱出口の内径は、一般成人が余裕をもって脱出可能な形状・寸法としているのである。さらに、設置工事を含めた供給価格を低価格に抑えることが可能であり、特に地震災害時の損壊により扉開閉が不能になった場合に備え、耐震扉脱出口を設置することにより多くの人命が守られ、前述の緊急脱出時の課題を解決できるものである。
【図面の簡単な説明】
【０００７】
【図１】本考案の脱出口蓋部と脱出口枠部の外側の平面図である。
【図２】本考案の脱出口蓋部と脱出口枠部の内側の平面図である。
【図３】本考案の脱出口蓋部と脱出口枠部の上部の断面図である。
【図４】本考案の脱出口蓋部と脱出口枠部の下部の断面図である。
【図５】本考案の脱出口全体の実施例を示す正面図である。
【図６】本考案の脱出口全体の実施例を示す裏面図である。
【図７】本考案の脱出口枠固定板に取付ける防護用裏蓋の平面図である。
【図８】本考案の脱出口内側に取付ける防護用裏蓋の断面図である。
【考案を実施するための形態】
【０００８】  本考案の平常時における形態は、脱出口蓋２をヒンジ３の作用を用い手動で持ち上げて閉める。脱出口枠１上部に接触するまで閉められた後、脱出口蓋２内側に固定してある２本の右側開閉用取っ手６と左側開閉用取っ手７を押し上げてロックし、脱出口蓋２を完全に密閉状態にした後、危険防止のためのプラスチィク製防護用裏蓋１１をはめ込み固定する。地震災害時において既存扉８が開閉不能に陥り、脱出が困難な状況になった場合は、まず、プラスチィク製防護用裏蓋１１を手で取り外し、右側開閉用取っ手６と左側開閉用取っ手７を押し下げてロックを解除したうえで、脱出口蓋２を内側から外側へ押し倒すことで開口すれば、家中に閉じ込められた住民の脱出が可能となり本考案の目的が達せられるのである。
【実施例】
【０００９】  本考案の脱出口蓋２の上部に固定された錠１０は、既存扉８が損壊し家中に閉じ込められた住民が、脱出口蓋２を開口し外部に脱出した後の、家財道具或いは貴重品等の盗難防止の目的に取り付けており、平常時において施錠していれば、非常時に脱出口蓋２が開口不能状態になり、平常時は錠１０の施錠は厳禁である。
【符号の説明】
【００１０】  １  脱出口枠
２  脱出口蓋
３  ヒンジ（脱出口枠・蓋に接合固定）
４  固定板取付けネジ（大）
５  脱出口枠固定板（円形ねじ込み式）
６  右側開閉用取っ手（手動回転ロック式）
７  左側開閉用取っ手（手動回転ロック式）
８  既存扉（一般的に使用されている主に玄関扉等）
９  固定板取付けネジ（小）
１０  錠（脱出口蓋に接合固定）
１１  防護用裏蓋（プラスチィク製の簡易脱着式）
１２  防護用裏蓋取っ手
【図１】
0003163024.tif 000003
【図２】
0003163024.tif 000004
【図３】
0003163024.tif 000005
【図４】
0003163024.tif 000006
【図５】
0003163024.tif 000007
【図６】
0003163024.tif 000008
【図７】
0003163024.tif 000009
【図８】
0003163024.tif 000010
【手続補正書】
【提出日】平成21年12月12日(2009.12.12)
【手続補正１】
【補正対象書類名】実用新案登録請求の範囲
【補正対象項目名】全文
【補正方法】変更
【補正の内容】
【実用新案登録請求の範囲】
【請求項１】
地震災害により扉枠及び扉が損壊し、開閉不能になり脱出が困難になる恐れがあり、特に、鉄筋コンクリート造のマンション・アパート等の玄関扉からの非常時脱出を目的に考案し、脱出口本体１・２は、一般的な扉よりも圧縮強度の高い軽量金属（ステンレス等）によって製造し、既存の扉８を取り外すことなく、扉が設置された状態で脱出口枠１設置部分を円形に切り取り、円形状の金属製脱出口枠１を外側から取り付け、さらに内側から脱出口枠固定板５をネジ状に右回転させて取り付け、内側から大小１９本の固定板取付ネジ４・９を装着して脱出口枠１の取り付ける、脱出口蓋２の最下部と脱出口枠１の最下部には、ヒンジ３が接合されており開閉が容易であり、脱出口蓋２を閉じて、脱出口蓋２内側に取り付けられた左右の開閉用取っ手６・７を、手動により上方に押し上げることによってロックされ、地震災害等の緊急脱出時には、開閉用取っ手６・７を手動で押し下げることによってロックが解除され、脱出口蓋２を押し開け容易に脱出する事が出来、又、平常時において脱出口蓋２内側部に取り付けられた左右の開閉用取っ手６・７が露出していることから、接触等の危険防止のために安全策として、プラスチック製円形状の防護用裏蓋１１をはめ込み簡易固定し、耐震扉脱出口１・２を設置する、又、外側から見た脱出口枠１の外形は、円形の外に四角形、五角形、六角形、八角形などの多様な形容とし、形状・寸法については、既存の扉に対応した形状・寸法で製作するので、多種多様な既存の扉に設置可能な耐震扉脱出口１・２。
【手続補正書】
【提出日】平成22年2月22日(2010.2.22)
【手続補正１】
【補正対象書類名】実用新案登録請求の範囲
【補正対象項目名】全文
【補正方法】変更
【補正の内容】
【実用新案登録請求の範囲】
【請求項１】
地震災害により扉・扉枠が損壊し、開閉不能になり脱出が困難になる恐れがある、特に鉄筋コンクリート造のマンション・アパートの玄関扉からの非常時脱出を目的に考案したものである、脱出口本体１・２は、扉よりも圧縮強度が高いステンレスによって製造し、扉８を取り外すことなく扉が設置された状態で、脱出口枠１の設置箇所を円形状に切り取り、円形状の金属製脱出口枠１を外側からはめ込み、さらに、内側から脱出口枠固定板５をネジ状に右回転させて装着、内側から大小１９本の固定板取り付けネジ４・９をねじ込み脱出口枠を取り付ける、脱出口蓋２の最下部と脱出口枠１の最下部にはヒンジ３が接合されており開閉が容易である、脱出口蓋２を閉じて脱出口蓋２の内側に取り付けた左右の開閉用取っ手６・７を、手動によって上方に押し上げロックし、地震災害の緊急脱出時には、下方に押し下げてロックを解除し、脱出口蓋２をを押し開け容易に脱出可能であり、脱出後の家財道具盗難防止のために脱出口蓋２には錠を設けており何時でも自由な出入りが出来る、平常時においては脱出口蓋２の内側部に装着した開閉用取っ手６・７が露出していることから、接触危険防止のためプラスチック製円形状の防護用裏蓋１１を装着固定し、耐震扉脱出口１・２の設置完了である、又、外側から見た脱出口枠１の外形は景観上、円形の外に四角形・五角形・六角形・八角形の形容を用い、扉に適合した形状寸法で製作する耐震扉脱出口１・２。
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
地震災害によりマンション・アパートなどの玄関ドアが損壊し、開閉不能になった場合の非常時脱出をするため、既存のドア自体を円形状に切り抜き、材質を金属とする開閉可能な脱出口本体１・２・５をドアに装着固定し有事に備えることを目的とした、脱出口枠１と脱出口蓋２と脱出口枠固定板５で構成した構造体を有することを特徴とした耐震脱出口。
【請求項２】
脱出口枠１と脱出口枠固定板５で既存のドアの開口部からドア本体を挟み込み、内周がネジ式で構成されたの脱出口枠固定板５を、外周がネジ式で構成されたの脱出口枠１の裏面外周にねじ込み装着し、多数本のボルトで固定する、脱出口枠１と脱出口枠固定板５にネジ部とボルトを有し、二重に装着固定することを特徴とした［請求項１］に記載する耐震脱出口。
【請求項３】
非常時脱出の際、ドアを手動で開閉するための開閉用取っ手６・７を脱出口蓋の内側に装着し、脱出口枠１の内周部にロック用の溝を設けた、手動回転式ロック用の開閉用取っ手６・７を有することを特徴とした［請求項１］に記載する耐震脱出口。
【請求項４】
非常時脱出後の家財道具などの盗難防止、或いは再度の帰宅に備え、脱出口蓋２に両面錠を設け、室内・室外の双方から施錠できるようにした、両面錠を有することを特徴とした［請求項１］に記載する耐震脱出口。